(57)【要約】【課題】  展示部照明用の発光素子を設けるにあたって、ディスプレイ扉と前面扉との間をわたされるケーブルを不要にできる自動販売機を提供すること。【解決手段】  自動販売機１は、商品が収納される本体２と、この本体２に対して開閉自在に設けられ、一部が透明パネル４、５となっている前面扉３と、前面扉３と本体２との間でこれら両者に対して開閉自在に設けられ、透明パネル４、５に向き合わされる面に展示部７、８を有するディスプレイ扉６と、展示部７、８を照明するため前面扉３に取り付けられた発光素子２６、３６を備える。【選択図】        図３
2006330807.tif 000002
【特許請求の範囲】
【請求項１】
商品が収納される本体と、
前記本体に対して開閉自在に設けられ、一部が透明パネルとなっている前面扉と、
前記透明パネルに対向して設けられた展示部と、を備えた自動販売機であって、
前記展示部を照明するための発光素子を前記前面扉に取り付けた
ことを特徴とする自動販売機。
【請求項２】
商品が収納される本体と、
前記本体に対して開閉自在に設けられ、一部が透明パネルとなっている前面扉と、
前記前面扉と前記本体との間でこれら両者に対して開閉自在に設けられ、前記透明パネルに向き合わされる面に展示部を有するディスプレイ扉と、を備えた自動販売機であって、
前記展示部を照明するための発光素子を前記前面扉に取り付けた
ことを特徴とする自動販売機。
【請求項３】
前記透明パネルに商品選択ボタンユニットが取り付けられ、前記商品選択ボタンユニットの裏側に前記発光素子が設けられている
ことを特徴とする請求項１または請求項２に記載の自動販売機。
【請求項４】
商品選択ボタンと、前記商品選択ボタンの裏側に設けられ前記商品選択ボタン用の回路を形成した回路基板とを有する商品選択ボタンユニットが前記透明パネルに取り付けられ、
前記回路基板において前記展示部に向き合わされる面に前記発光素子が実装され、前記回路基板には前記発光素子用の回路も形成されている
ことを特徴とする請求項１または請求項２に記載の自動販売機。
【請求項５】
前記発光素子に電力を供給する電源装置が前記前面扉に設けられている
ことを特徴とする請求項１乃至請求項４の何れかに記載の自動販売機。
【発明の詳細な説明】
【技術分野】
【０００１】
本発明は、商品サンプルや広告等を展示する展示部の照明に発光素子を使った自動販売機に関する。
【背景技術】
【０００２】
従来より、蛍光灯に比べて低消費電力で長寿命な発光ダイオードを商品サンプル等の照明用に用いた自動販売機が提案されている。例えば特許文献１参照。
【０００３】
特許文献１では、図１１および図１１の［Ａ］−［Ａ］線断面図である図１２に示されるように、商品サンプル１００の下側に基板１０５が設けられ、その基板１０５上には各サンプル本体１０１内に整列して設けられた発光ダイオード１０６が設けられている。商品サンプル１００は、サンプル本体１０１と、サンプル本体１０１に内蔵された反射板１０２と、各サンプル本体１０１の周囲に取り付けられた商品デザインを印刷したフィルム１０３を備える。発光ダイオード１０６からの光および反射板１０２で反射された光によってサンプル本体１０１は内部から照明される。
【０００４】
【特許文献１】特開２００４−１６４２５０号公報
【発明の開示】
【発明が解決しようとする課題】
【０００５】
上記特許文献１では、展示部照明用の発光ダイオード１０６は、商品サンプル１００の展示部に設けられている。展示部は、図１３に示すように透明パネル４を有する前面扉３とは別の扉であるディスプレイ扉６の前面に設けられ、その前面には複数段の陳列台９が取り付けられている。前面扉３は、商品が収納される本体２に対して一側縁部で連結されて本体２に対して開閉自在になっており、ディスプレイ扉６は前面扉３の背面側に配置されて一側縁部でヒンジ（図１３には一部のヒンジｈが図示される）を介して前面扉３に連結されている。透明パネル４には、陳列台９の段数に合わせて複数段の商品選択ボタンユニット３４が取り付けられている（図１３にはその裏側が示される）。
【０００６】
本体２には商品が収納されたり、商品が飲料の場合には冷却ユニット（蒸発器や圧縮機等）やヒータが配設されるためスペースの余裕はなく、よって一般に展示部の照明用の電源装置は前面扉３に設けられる。図１３の例では、前面扉３の裏側において広告展示部８用の透明パネル５の下方に電源装置を内蔵した電装ボックス３２が設けられている。したがって、展示部に設けられた照明用の発光素子１０６は、前面扉３に設置された電装ボックス３２から電力を受けることになる。このような構成では、照明用発光素子１０６と電装ボックス３２とを接続するケーブル３３の引きまわしにおいて、前面扉３とディスプレイ扉６との間で空間をわたされる部分が存在することになる。このケーブル３３において前面扉３とディスプレイ扉６との間で空間をわたされる部分は両扉３、６のヒンジ側に位置する。これは、両扉３、６を開いた際になるべくケーブル３３が邪魔にならないようにするためである。
【０００７】
このように、前面扉３とディスプレイ扉６との間におけるヒンジ側で宙に浮くように存在するケーブルがあると、例えば商品の補充や商品サンプルの交換、展示部の掃除などで前面扉３を開き、それら作業が終わって前面扉３を本体２に対して閉じる際に、特にケーブル３３の位置に良く注意せずに前面扉３を勢いよく閉じた場合には、前面扉３と本体２の連結側の側縁部（図１３において奥側の側縁部）でケーブル３３を挟み込んでしまい、ケーブル３３の損傷や断線を引き起こす可能性がある。
【０００８】
本発明は上述の問題に鑑みてなされ、その目的とするところは、展示部照明用の発光素子を設けるにあたって、ディスプレイ扉と前面扉との間をわたされるケーブルを不要にできる自動販売機を提供することにある。
【課題を解決するための手段】
【０００９】
本発明の自動販売機は、商品が収納される本体と、この本体に対して開閉自在に設けられ、一部が透明パネルとなっている前面扉と、透明パネルに対向して設けられた展示部とを備え、展示部を照明するための発光素子が前面扉に取り付けられている。
【００１０】
ここで、上記展示部照明用の発光素子は、例えば発光ダイオード、レーザダイオード、エレクトロルミネッセンス素子などである。本発明では、その展示部照明用の発光素子を前面扉に取り付けているため、照明用発光素子と、前面扉に配設される電源装置とを接続するためのケーブルは、展示部と前面扉との間をわたらせることなく、前面扉にだけ引きまわせばよい。また、展示部照明用の発光素子を従来のように展示部に設ける必要がないので、展示部には電源装置からの電力を必要とする部品が不要となる。以上のことから、前面扉と展示部との間で空間をわたらせるようにつなぐケーブルを不要にでき、前面扉を閉じる際に、そのケーブルを前面扉と本体のヒンジ連結側の側縁部間に挟み込む心配がなく、このことによるケーブルの断線や損傷を防げる。なお、展示部は商品サンプルの展示部に限らず、広告等の展示部も含む。
【００１１】
また、上記照明用の発光素子を、商品選択ボタン用の回路基板における展示部に向き合わされる面に実装し、なおかつその回路基板に発光素子用の回路も形成すれば、照明用発光素子のために別途回路基板を用意する必要がなくコスト低減を図れる。また、その回路基板のための設置スペースも別途確保しなくてよい。
【発明の効果】
【００１２】
本発明の自動販売機によれば、前面扉と展示部との間で空間をわたらせるようにつなぐケーブルを不要にでき、前面扉を閉じる際に、そのケーブルを前面扉と本体のヒンジ連結側の側縁部間に挟み込む心配がなく、ケーブルの断線や損傷による自動販売機の故障を防げる。また、作業者が前面扉を閉じる際に煩わしかったケーブルの取り扱いに注意を払わなくて済み作業効率の向上が期待できる。
【発明を実施するための最良の形態】
【００１３】
以下、本発明を適用した具体的な実施形態について、図面を参照しながら詳細に説明する。なお、本発明は以下の実施形態に限定されるものではなく、本発明の技術的思想に基づいて種々の変形が可能である。
【００１４】
［第１の実施形態］
図１は本発明の一実施形態に係る自動販売機１の正面図を示す。自動販売機１は、本体２（図１３参照）と、本体２に対して開閉自在に設けられ一部が透明パネル４、５となっている前面扉３と、前面扉３と本体２との間でこれら両者に対して開閉自在に設けられたディスプレイ扉６（図３、１３に参照）を備える。
【００１５】
本体２は箱状を呈しその内部に飲料やたばこ等の商品が収納される。前面扉３は、本体２の前面側の一側縁部（図１において左側縁部）にヒンジ等の連結部材を介して本体２に対して開閉自在に取り付けられている。
【００１６】
ディスプレイ扉６は、本体２と前面扉３との間に位置し、前面扉３の背面側の一側縁部（図１において左側縁部）にヒンジ等の連結部材を介して前面扉３に対して開閉自在に取り付けられている。ディスプレイ扉６において前面扉３と向き合わされる前面には商品サンプル展示部７と広告展示部８が設けられている。商品サンプル展示部７は、複数段（図示の例では３段）の陳列台９を有し、その陳列台９の上には商品サンプル１１が載せられる。陳列台９は図３に示すようにディスプレイ扉６の前面に取り付けられている。商品サンプル展示部７の下方には広告展示部８が設けられ（図１３参照）、商品の宣伝ポスター、プレゼントの応募案内ポスター、社名や商品名のロゴなどが掲示される。
【００１７】
本体２に収納される商品が加温や冷却が必要な飲料等の場合には、通常、ディスプレイ扉６と本体２との間に断熱材を内装した内扉が設けられる。この内扉に対して、前面扉３及びディスプレイ扉６はまとめて外扉と呼ばれる。
【００１８】
前面扉３の上半分ほどは透明パネル４となっており、ディスプレイ扉６前面に設けられた商品サンプル展示部７及びそこに展示（陳列）された商品サンプル１１が前面扉３の外側から視認できるようになっている。その透明パネル４の下方であって図１において左寄りの位置にも透明パネル５が設けられ、この透明パネル５を通して広告展示部８が視認できるようになっている。前面扉３において透明パネル４、５の配置箇所には窓孔が形成され、その窓孔を塞ぐように透明パネル４、５の周縁部が押さえ金具等により前面扉３に固定されている。
【００１９】
透明パネル４の下方であって図１において右寄りの位置には、硬貨投入口１２、紙幣挿入部１３、金額等表示部１４、硬貨返却レバー１５が設けられている。前面扉３の下部には商品取出口１６、硬貨返却口１７が設けられている。
【００２０】
商品サンプル展示部７に向き合わされる透明パネル４には商品選択ボタンユニット２１が取り付けられている。図２は商品選択ボタンユニット２１の裏側（ディスプレイ扉６に向き合わされる側）の平面図を示し、図３は商品選択ボタンユニット２１取付箇所及びその近傍の展示部７の断面図を示す。
【００２１】
商品選択ボタンユニット２１は、帯状の支持部材２２と、押動可能に支持部材２２に取り付けられた商品選択ボタン２３と、商品選択ボタン２３の裏側に取り付けられた回路基板２４を有する。商品選択ボタンユニット２１の裏側には透明パネル４を挟んで、商品選択ボタンユニット２１に沿って延在するブラケット２７が配置され、そのブラケット２７に対して支持部材２２がねじ２８（図２参照）により締結されることで商品選択ボタンユニット２１は透明パネル４に取り付けられている。商品選択ボタンユニット２１は陳列台９に沿って配置され、図１の例では３段の陳列台９に対応して３段の商品選択ボタンユニット２１が設けられている。商品選択ボタン２３は商品サンプル１１に対応して配置されている。
【００２２】
商品選択ボタン２３には、販売可表示部、売切表示部等が形成されている。また、準備中を明示する表示部を有するものもある。回路基板２４において商品選択ボタン２３側に向く一方の面には、各表示部に対応して例えば発光ダイオード等の発光素子２５が実装されている。また、その一方の面には商品選択ボタン２３の押動操作を検出するスイッチも実装されている。さらに回路基板２４には、実装された上記各部品間を接続する配線（導体パターン）が形成されている。
【００２３】
さらに、回路基板２４において上記一方の面の反対面（展示部７に向き合わされる面）には、展示部７の照明用に例えば発光ダイオード等の発光素子２６が実装されると共に、その発光素子２６点灯用の回路も形成されている。透明パネル４とブラケット２７において、照明用発光素子２６の実装箇所に対応する部分には開口４ａ、２７ａが形成され、その開口４ａ、２７ａを通して発光素子２６は展示部７に臨んでいる。
【００２４】
回路基板２４において、開口４ａ、２７ａに臨む部分には、図２に示すようにコネクタ２９が実装され、回路基板２４に形成された回路（発光素子２６等の実装部品も含む）はコネクタ２９及びこれに接続されたケーブル３１を介して外部と接続される。ケーブル３１は、前面扉３の裏側に設けられた電装ボックス３２（図１において破線で示される）に接続されている。電装ボックス３２は、前面扉３の裏側において透明パネル５と商品取出口１６との間に配設されている。電装ボックス３２は、回路基板２４（発光素子２６等の実装部品も含む）に電力を供給する電源装置や、販売可表示部用、売切表示部用、照明用のそれぞれの発光素子２５、２６の点灯を制御する制御装置等を備える。
【００２５】
コネクタ２９から延出されるケーブル３１はブラケット２７の裏側を引きまわされ、商品選択ボタンユニット２１の一端側（図１において左端側）から前面扉３裏側の左側縁部に引き出されて前面扉３の下部に配設された電装ボックス３２に接続されている。
【００２６】
このように本実施形態では、照明用の発光素子２６を、電装ボックス３２を設けた前面扉３に取り付けているため、発光素子２６と電装ボックス３２とを接続するケーブル３１を、ディスプレイ扉６と前面扉３との間をわたらせることなく、前面扉３にだけ引きまわせばよい。また、展示部７照明用の発光素子を従来のように展示部７に設ける必要がないので、展示部７には電装ボックス３２からの電力を必要とする部品が不要となる。以上のことから、前面扉３に設けられた電装ボックス３２と、展示部７を設けたディスプレイ扉６との間で空間をわたらせるようにつなぐケーブルを不要にでき、前面扉３を閉じる際に、そのケーブルを前面扉３と本体２のヒンジ連結側の側縁部間に挟み込む心配がなく、ケーブルの断線や損傷を防げる。
【００２７】
上記照明用発光素子２６は、商品選択ボタンユニット２１の延在方向に沿って複数設けられ、これら発光素子２６からの光により展示部７及びここに展示された商品サンプル１１が照明される。また、発光素子２６は、蛍光灯と異なり、各商品サンプル１１ごとに配置できる。このことにより、各商品サンプル１１ごとに、点灯するしないの設定や、点灯または消灯時間の設定が可能になる。例えば、売切れになった商品のサンプルに対応する発光素子２６は消灯して消費電力を抑えることができる。また、準備中の商品のサンプルに対応する発光素子２６については例えばオレンジ色の光などにして販売可表示の緑色や売切表示の赤色と区別したり、飲料商品の場合にはホット、コールドの切り換えに合わせて、赤、青の照明に切り換えることができる。例えば、図２においてコネクタ２９を挟んで位置する一対の発光素子２６のうち一方を赤色発光ダイオード、他方を青色発光ダイオードにして、これら一対の発光素子２６に対応して展示された商品サンプルがコールド飲料商品のサンプルの場合には青色発光ダイオードを点灯（赤色発光ダイオードは消灯）させ、ホット飲料商品のサンプルの場合には赤色発光ダイオードを点灯（青色発光ダイオードは消灯）させる。また、お勧め商品のサンプルに対応する発光素子２６を、点滅や減光、他の商品用の発光素子と異なる色にするなどにより人目を引かせることもできる。
【００２８】
図８は回路基板２４の回路構成の一例を示す。商品選択ボタンの個数に対応して、複数個（図示の例では例えば４個）ずつのスイッチＳＷａ〜ＳＷｄ、販売可表示用発光素子３７ａ〜３７ｄ、売切表示用発光素子３８ａ〜３８ｄ、照明用発光素子２６ａ〜２６ｄを有する。各発光素子は例えば発光ダイオードである。また、各スイッチＳＷａ〜ＳＷｄの一端および各発光素子のアノード側にはダイオードが接続されている。
【００２９】
スイッチＳＷａと、発光素子３７ａ、３８ａ、２６ａとで１つのグループを構成し、これらは共通の信号線４１に接続されている。スイッチＳＷｂと、発光素子３７ｂ、３８ｂ、２６ｂとで１つのグループを構成し、これらは共通の信号線４２に接続されている。スイッチＳＷｃと、発光素子３７ｃ、３８ｃ、２６ｃとで１つのグループを構成し、これらは共通の信号線４３に接続されている。スイッチＳＷｄと、発光素子３７ｄ、３８ｄ、２６ｄとで１つのグループを構成し、これらは共通の信号線４４に接続されている。
【００３０】
各スイッチＳＷａ〜ＳＷｄは共通の信号線５１に接続されている。販売可表示用の各発光素子３７ａ〜３７ｄは共通の信号線５２に接続されている。売切表示用の各発光素子３８ａ〜３８ｄは共通の信号線５３に接続されている。展示部照明用の各発光素子２６ａ〜２６ｄは共通の信号線５４に接続されている。
【００３１】
商品選択ボタンが押されると対応するスイッチＳＷａ〜ＳＷｄがオンになり、図示しない販売制御部にその商品選択ボタンが押されたという信号が送信される。また、例えば、信号線４１と信号線５２とが選択されると発光素子３７ａに電流が流れ発光する。他の発光素子についても同様に、アノードに接続された信号線とカソードに接続された信号線の両方が選択されることでその発光素子が通電され発光する。
【００３２】
各信号線４１〜４４、５１〜５４は例えばマイクロコンピュータからの制御信号により選択されるが、上記回路構成では信号線４１〜４４、５１〜５４の数と、それら信号線４１〜４４、５１〜５４が接続されるマイクロコンピュータのポート数はそれぞれ８である。これは、全部で１６個のスイッチＳＷａ〜ＳＷｄおよび発光素子３７ａ〜３７ｄ、３８ａ〜３８ｄ、２６ａ〜２６ｄのそれぞれに対応して信号線とポートを設ける場合（信号線とポートがそれぞれ１６個）に比べて信号線とポートの数を低減できコスト低減を図れる。
【００３３】
また、各発光素子３７ａ〜３７ｄ、３８ａ〜３８ｄ、２６ａ〜２６ｄは時分割で選択的に点灯制御される。いわゆるダイナミック点灯制御される。具体的には、図１０に示すパルス状の各コモン１〜４信号が例えば”Ｈ”レベルのとき各グループに共通の各信号線４１〜４４は選択された状態となり、例えばコモン１信号が”Ｈ”レベルとされ信号線４１が選択されているときに、販売可に割り当てられた信号線５２が選択されていると発光素子３７ａが発光する。
【００３４】
照明用発光素子２６ａ〜２６ｄについては、これらに共通に割り当てられた信号線５４は常に選択され、この状態で各コモン１〜４信号が図１０のタイミングで”Ｈ”レベルに切り替わっていくので、照明用の各発光素子２６ａ〜２６ｄは例えば数ミリ〜十数ミリ秒間隔で点滅する。この点滅間隔は非常に短いため人の目には残像現象により常時点灯しているように見える。
【００３５】
このようなダイナミック点灯制御は、点灯させるべき各発光素子を常時通電状態にして常時点灯させるスタティック点灯制御に比べて消費電力を抑えることができる。ただし、消費電力よりも明るさを優先したい場合にはスタティック点灯制御が有効である。
【００３６】
上記例では照明用発光素子２６ａ〜２６ｄのための回路基板として、元々自動販売機に備わっている商品選択ボタンの操作検出スイッチＳＷａ〜ＳＷｄ、販売可表示用発光素子３７ａ〜３７ｄ、売切表示用発光素子３８ａ〜３８ｄのための回路基板を兼用させて用いているため、コスト低減と設置スペースの省スペース化が図れる。
【００３７】
なお、図９に示すように別途照明専用の回路基板５５を用意すれば、照明用発光素子５８の設置箇所が商品選択ボタンユニットの裏側に制約されない。
【００３８】
図９に示す例では、例えば、全部で３２個の照明用発光素子５８が、８個を１グループとする４グループに分かれて設けられている。各グループのアノード側にはそれぞれダイオードが接続されている。
【００３９】
各グループにはそれぞれ共通の信号線６５〜６８が接続されている。また、各グループ内では、直列接続された２個の発光素子５８を１ユニットとして、これが４ユニット並列接続されている。各グループにおいて例えば図示上一番左端のユニットは信号線６１に接続され、左から２番目のユニットは信号線６２に接続され、左から３番目のユニットは信号線６３に接続され、一番右端のユニットは信号線６４に接続されている。例えば、信号線６１と信号線６５とが選択されると、図において一番左端のグループにおける左端のユニットを構成する２個の発光素子５８に電流が流れ発光する。
【００４０】
また、各グループに共通な各信号線６５〜６８に図１０に示す時分割で選択的に”Ｈ”レベルとされるコモン１〜４信号を与えれば、発光素子５８を各グループごとにダイナミック点灯制御でき低消費電力化が図れる。
【００４１】
このような照明専用の回路基板５５は、設置箇所が商品選択ボタンユニットの裏側に制約されないため、例えば、透明パネル４の上下左右の周縁部に取り付けることができる。図１には、例えば透明パネル４の上縁部に沿って配置された複数の発光素子３５を示す。これら発光素子３５は光出射方向を下方に向けて配置され、これら発光素子３５からの光により展示部７全体が照明される。
【００４２】
また、発光素子は商品サンプル展示部７の照明用に限らず、広告展示部８の照明にも使用できる。図１には例えば広告展示部８に対応して設けられた透明パネル５の上縁部に沿って複数の発光素子３６を配置した例を示す。この場合にも、発光素子３６は前面扉３に取り付けられるので、これら広告展示部８照明用の発光素子３６と電装ボックス３２とを接続するにあたって、接続ケーブルが前面扉３とディスプレイ扉６との間をわたされることがなく、前面扉３を閉じる際に前面扉３と本体２の側縁部間でケーブルを挟み込む心配がない。なお、透明パネル５の上縁部に限らず側縁部や下縁部に沿って広告展示部８照明用の発光素子３６を配置してもよい。
【００４３】
［第２の実施形態］
次に、図４は本発明の第２の実施形態を示す。上記第１の実施形態と同じ構成部分には同一の符号を付しその詳細な説明は省略する。
【００４４】
通常、商品選択ボタンユニット２１は、商品サンプル１１に重ならないように商品サンプル１１よりも下方に位置している。したがって、商品選択ボタンユニット２１の裏側に設けられた照明用発光素子２６も商品サンプル１１の下方に位置し、さらに発光ダイオードである発光素子２６からの光は指向性を有するため、図３の配置関係では発光素子２６からの光が商品サンプル１１に行き届きにくく、商品サンプル１１が十分な明るさで照明されない可能性がある。
【００４５】
そこで、本実施形態では、図４に示すように、発光素子２６に向き合うようにして光拡散部材４６を設けている。光拡散部材４６は例えば光拡散シートや光拡散レンズであり、ブラケット２７に取り付けられている。これにより、発光素子２６が発する光の指向性を弱めてより広範囲に光を拡げることができ、商品サンプル１１を十分な明るさで照明することができる。
【００４６】
なお、陳列台９には陳列台９の上下を貫通する貫通孔が形成され、その貫通孔をふさぐように商品サンプル１１が陳列台９の上に載っており、その貫通孔を通して陳列台９の下方に位置する発光素子２６からの光が商品サンプル１１の中空の内部に導かれる。商品サンプル１１は、例えば、商品デザインを印刷した光透過性のフィルムを筒状に形成してなり、商品サンプル１１の内部に導かれた光は光透過性のフィルムを透過し、さらに透明パネル４を透過して前面扉３の外側に届く。
【００４７】
［第３の実施形態］
次に、図５は本発明の第３の実施形態を示す。上記各実施形態と同じ構成部分には同一の符号を付しその詳細な説明は省略する。
【００４８】
本実施形態では、発光素子２６から出射した光を商品サンプル１１の下側に配置した反射板４７で上方に反射させて商品サンプル１１に導いている。反射板４７は、陳列台９やディスプレイ扉６などに図示しない取付具を介して取り付けられる。
【００４９】
［第４の実施形態］
次に、図６は本発明の第４の実施形態を示す。上記各実施形態と同じ構成部分には同一の符号を付しその詳細な説明は省略する。
【００５０】
本実施形態では、商品選択ボタンユニット２１を透明パネル４に取り付けるためのブラケット５６の下壁部５６ａを陳列台９の下側にまで延ばし、その下壁部５６ａの上に、照明用発光素子５８を実装した照明専用の回路基板５５を配置している。発光素子５８は光出射方向を上方に向けて陳列台９の下に位置し、発光素子５８から出射した光は、陳列台９に形成された貫通孔を通して商品サンプル１１の内部に導かれる。
【００５１】
［第５の実施形態］
次に、図７は本発明の第５の実施形態を示す。上記各実施形態と同じ構成部分には同一の符号を付しその詳細な説明は省略する。
【００５２】
本実施形態においても、商品選択ボタンユニット２１を透明パネル４に取り付けるためのブラケット５７の下壁部５７ａを陳列台９の下側にまで延ばし、その下壁部５７ａの上に、照明用発光素子５８を実装した照明専用の回路基板５５を配置している。上記第４の実施形態では、ブラケット５６の下壁部５６ａが陳列台９に略平行に延びているのに対して、本実施形態のブラケット５７の下壁部５７ａは透明パネル４側から見て斜め下方に延びている。本実施形態においても、発光素子５８は光出射方向を商品サンプル１１に向けて陳列台９の下に位置し、発光素子５８から出射した光は、陳列台９に形成された貫通孔を通して商品サンプル１１の内部に導かれる。
【００５３】
以上、本発明の実施形態について説明したが、本発明は上記実施形態に限ることなく、例えば、基板のみを商品選択ボタン（販売可や売切表示用ランプも含む）と照明用発光素子とで兼用させ、照明用発光素子の回路（配線）は商品選択ボタン用とは別に形成してもよい。この場合、照明用発光素子はダイナミック点灯制御とスタティック点灯制御のどちらでもよい。また、照明用発光素子のための専用回路基板を別途設けた場合においても、ダイナミック点灯制御とスタティック点灯制御はどちらを採用してもよい。
【図面の簡単な説明】
【００５４】
【図１】本発明の一実施形態に係る自動販売機の正面図である。
【図２】同自動販売機において商品選択ボタンユニットの裏側の拡大平面図である。
【図３】同自動販売機において商品選択ボタンユニット取付箇所およびその近傍の展示部の拡大断面図である。
【図４】第２の実施形態に係る自動販売機の商品選択ボタンユニット取付箇所およびその近傍の展示部の拡大断面図である。
【図５】第３の実施形態に係る自動販売機の商品選択ボタンユニット取付箇所およびその近傍の展示部の拡大断面図である。
【図６】第４の実施形態に係る自動販売機の商品選択ボタンユニット取付箇所およびその近傍の展示部の拡大断面図である。
【図７】第５の実施形態に係る自動販売機の商品選択ボタンユニット取付箇所およびその近傍の展示部の拡大断面図である。
【図８】商品選択検出スイッチ、販売可表示部用発光素子、売切表示部用発光素子および展示部照明用発光素子の回路を兼用させた回路基板の回路図である。
【図９】照明用発光素子専用回路基板の回路図である。
【図１０】照明用発光素子のダイナミック点灯制御を示すタイミングチャートである。
【図１１】従来例の商品サンプル展示部の斜視図である。
【図１２】図１１における［Ａ］−［Ａ］線方向の断面図である。
【図１３】一般的な自動販売機において前面扉とディスプレイ扉とを開いた状態の斜視図である。
【符号の説明】
【００５５】
１…自動販売機、２…本体、３…前面扉、４，５…透明パネル、６…ディスプレイ扉、７，８…展示部、９…陳列台、１１…商品サンプル、２１…商品選択ボタンユニット、２３…商品選択ボタン、２４…回路基板、２６…照明用発光素子、３２…電装ボックス。
【図１】
2006330807.tif 000003
【図２】
2006330807.tif 000004
【図３】
2006330807.tif 000005
【図４】
2006330807.tif 000006
【図５】
2006330807.tif 000007
【図６】
2006330807.tif 000008
【図７】
2006330807.tif 000009
【図８】
2006330807.tif 000010
【図９】
2006330807.tif 000011
【図１０】
2006330807.tif 000012
【図１１】
2006330807.tif 000013
【図１２】
2006330807.tif 000014
【図１３】
2006330807.tif 000015